(57)【特許請求の範囲】
【請求項１】
ダウンリンク送信部分及びアップリンク送信部分を有するサブフレームのためのデフォールト構成の指示を送信する段階と、前記サブフレームのための好ましい構成の指示を送信する段階と、前記好ましいサブフレーム構成に基づき通信装置への及び／又は通信装置からの送信をスケジューリングする段階と、を備えた方法。
【請求項２】
前記好ましい構成に関連して少なくとも１つの所定の条件を満足する構成を前記デフォールト構成に対して選択する段階を更に備えた、請求項１に記載の方法。
【請求項３】
前記所定の条件は、前記好ましいサブフレーム構成に基づく前記サブフレームのアップリンク及びダウンリンク両送信部分が、各々、少なくとも、前記デフォールトサブフレーム構成に基づく前記サブフレームのアップリンク及びダウンリンク送信部分に割り当てられたタイムリソースを含むことである、請求項２に記載の方法。
【請求項４】
前記好ましいサブフレーム構成に基づいて動作できる通信装置に対してのみ検出できるフォーマットで前記好ましい構成の前記指示を放送する段階を更に備えた、請求項１から３のいずれかに記載の方法。
【請求項５】
前記好ましいサブフレーム構成の前記指示を、特定の通信装置にアドレスされるメッセージの一部分として送信する段階を更に含む、請求項１から３のいずれかに記載の方法。
【請求項６】
前記サブフレームは、前記ダウンリンク送信部分とアップリンク送信部分の間の未使用部分を含む、請求項１から５のいずれかに記載の方法。
【請求項７】
前記好ましいサブフレーム構成の前記指示を、前記デフォールトサブフレーム構成の前記指示を含まないメッセージ又は情報ブロックの一部分として送信する段階を更に含む、請求項１から６のいずれかに記載の方法。
【請求項８】
前記好ましいサブフレーム構成の前記指示をメッセージの一部分として送信し、そして前記メッセージに対する応答を受信する段階を更に備えた、請求項１から７のいずれかに記載の方法。
【請求項９】
前記好ましいサブフレーム構成に基づく前記サブフレームのダウンリンク送信部分は、付加的なタイムリソースを含む、請求項１から８のいずれかに記載の方法。
【請求項１０】
ダウンリンク送信部分及びアップリンク送信部分を有するサブフレームのためのデフォールト構成の指示を検出する段階と、前記サブフレームのための好ましい構成の指示を検出する段階と、前記好ましいサブフレーム構成に基づいて動作するように通信装置を構成する段階と、を備えた方法。
【請求項１１】
前記デフォールト構成は、前記好ましい構成に関して少なくとも１つの所定の条件を満足する構成である、請求項１０に記載の方法。
【請求項１２】
前記所定の条件は、前記好ましいサブフレーム構成に基づく前記サブフレームのアップリンク及びダウンリンク両送信部分が、各々、少なくとも、前記デフォールトサブフレーム構成に基づく前記サブフレームのアップリンク及びダウンリンク送信部分に割り当てられたタイムリソースを含むことである、請求項１１に記載の方法。
【請求項１３】
前記好ましいサブフレーム構成の前記指示を放送チャンネルから検出する段階を更に備えた、請求項１０から１２のいずれかに記載の方法。
【請求項１４】
前記好ましいサブフレーム構成の前記指示を、前記通信装置にアドレスされたメッセージから検出し、そして前記メッセージに応答する段階を更に備えた、請求項１０から１２のいずれかに記載の方法。
【請求項１５】
前記サブフレームは、前記ダウンリンク送信部分とアップリンク送信部分の間の未使用部分を含む、請求項１０から１４のいずれかに記載の方法。
【請求項１６】
前記好ましいサブフレーム構成に基づく前記サブフレームのダウンリンク送信部分は、付加的なタイムリソースを含み、前記方法は、更に、前記デフォールトサブフレーム構成に基づいて動作するように前記通信装置を構成した後に、前記付加的なタイムリソースにおいてダウンリンクデータ記号に対して１つ以上の測定を実行する段階を備えた、請求項１０から１５のいずれかに記載の方法。
【請求項１７】
プロセッサと、コンピュータプログラムコードを含むメモリとを備えた装置において、それらメモリ及びコンピュータプログラムコードは、前記プロセッサとで、前記装置が、ダウンリンク送信部分及びアップリンク送信部分を有するサブフレームのためのデフォールト構成の指示を送信し；前記サブフレームのための好ましい構成の指示を送信し；そして前記好ましいサブフレーム構成に基づき通信装置への及び／又は通信装置からの送信をスケジューリングする；ようにさせるよう構成された装置。
【請求項１８】
前記メモリ及びコンピュータプログラムコードは、前記プロセッサとで、前記装置が、前記好ましい構成に関連して少なくとも１つの所定の条件を満足する構成を前記デフォールト構成に対して選択する、ようにさせるよう構成された請求項１７に記載の装置。
【請求項１９】
前記所定の条件は、前記好ましいサブフレーム構成に基づく前記サブフレームのアップリンク及びダウンリンク両送信部分が、各々、少なくとも、前記デフォールトサブフレーム構成に基づく前記サブフレームのアップリンク及びダウンリンク送信部分に割り当てられたタイムリソースを含むことである、請求項１８に記載の装置。
【請求項２０】
前記メモリ及びコンピュータプログラムコードは、前記プロセッサとで、前記装置が、前記好ましいサブフレーム構成に基づいて動作できる通信装置に対してのみ検出できるフォーマットで前記好ましい構成の前記指示を放送する、ようにさせるよう構成された請求項１７から１９のいずれかに記載の装置。
【請求項２１】
前記メモリ及びコンピュータプログラムコードは、前記プロセッサとで、前記装置が、前記好ましいサブフレーム構成の前記指示を、特定の通信装置にアドレスされるメッセージの一部分として送信する、ようにさせるよう構成された請求項１７から１９のいずれかに記載の装置。
【請求項２２】
前記サブフレームは、前記ダウンリンク送信部分とアップリンク送信部分の間の未使用部分を含む、請求項１７から２１のいずれかに記載の装置。
【請求項２３】
前記メモリ及びコンピュータプログラムコードは、前記プロセッサとで、前記装置が、前記好ましいサブフレーム構成の前記指示を、前記デフォールトサブフレーム構成の前記指示を含まないメッセージ又は情報ブロックの一部分として送信する、ようにさせるよう構成された請求項１７から２２のいずれかに記載の装置。
【請求項２４】
前記メモリ及びコンピュータプログラムコードは、前記プロセッサとで、前記装置が、前記好ましいサブフレーム構成の前記指示をメッセージの一部分として送信し、そして前記メッセージに対する応答を受信する、ようにさせるよう構成された請求項１７から２３のいずれかに記載の装置。
【請求項２５】
前記好ましいサブフレーム構成に基づく前記サブフレームのダウンリンク送信部分は、付加的なタイムリソースを含む、請求項１７から２４のいずれかに記載の装置。
【請求項２６】
プロセッサと、コンピュータプログラムコードを含むメモリとを備えた装置において、それらメモリ及びコンピュータプログラムコードは、前記プロセッサとで、前記装置が、ダウンリンク送信部分及びアップリンク送信部分を有するサブフレームのためのデフォールトサブフレーム構成の指示を受信し；前記サブフレームのための好ましいサブフレーム構成の指示の検出をチェックし；そして前記チェックの結果に基づいて前記デフォールトサブフレーム構成又は前記好ましいサブフレーム構成のいずれかに従って動作するように通信装置を構成する；ようにさせるよう構成された装置。
【請求項２７】
前記デフォールト構成は、前記好ましい構成に関して少なくとも１つの所定の条件を満足する構成である、請求項２６に記載の装置。
【請求項２８】
前記所定の条件は、前記好ましいサブフレーム構成に基づく前記サブフレームのアップリンク及びダウンリンク両送信部分が、各々、少なくとも、前記デフォールトサブフレーム構成に基づく前記サブフレームのアップリンク及びダウンリンク送信部分に割り当てられたタイムリソースを含むことである、請求項２７に記載の装置。
【請求項２９】
前記メモリ及びコンピュータプログラムコードは、前記プロセッサとで、前記装置が、前記好ましいサブフレーム構成の前記指示を放送チャンネルから検出する、ようにさせるよう構成された請求項２６から２８のいずれかに記載の装置。
【請求項３０】
前記メモリ及びコンピュータプログラムコードは、前記プロセッサとで、前記装置が、前記好ましいサブフレーム構成の前記指示を、前記通信装置にアドレスされたメッセージから検出し、そして前記メッセージに応答する、ようにさせるよう構成された請求項２６から２８のいずれかに記載の装置。
【請求項３１】
前記サブフレームは、前記ダウンリンク送信部分とアップリンク送信部分の間の未使用部分を含む、請求項２６から３０のいずれかに記載の装置。
【請求項３２】
前記好ましいサブフレーム構成に基づく前記サブフレームのダウンリンク送信部分は、付加的なタイムリソースを含み、前記メモリ及びコンピュータプログラムコードは、前記プロセッサとで、前記装置が、前記デフォールトサブフレーム構成に基づいて動作するように前記通信装置を構成した後に、前記付加的なタイムリソースにおいてダウンリンクデータ記号に対して１つ以上の測定を実行する、ようにさせるよう構成された請求項２６から３１のいずれかに記載の装置。
【請求項３３】
請求項１から９のいずれかに記載の方法を実行するように構成された装置。
【請求項３４】
請求項１０から１６のいずれかに記載の方法を実行するように構成された装置。
【請求項３５】
請求項１７から２５及び３３のいずれかに記載の装置を備えたベースステーション又はｅＮｏｄｅＢ。
【請求項３６】
請求項２６から３２及び３４のいずれかに記載の装置を備えたユーザ装置又はリレーノード。
【請求項３７】
コンピュータにロードされたときに、ダウンリンク送信部分及びアップリンク送信部分を有するサブフレームのためのデフォールト構成の指示を送信し；前記サブフレームのための好ましい構成の指示を送信し；そして前記好ましいサブフレーム構成に基づいて通信装置への及び／又は通信装置からの送信をスケジューリングするように；コンピュータを動作させるプログラムコードを備えたコンピュータ読取可能記録媒体。
【請求項３８】
コンピュータにロードされたときに、ダウンリンク送信部分及びアップリンク送信部分を有するサブフレームのためのデフォールトサブフレーム構成の指示を受信し；前記サブフレームのための好ましいサブフレーム構成の指示の検出をチェックし；そして前記チェックの結果に基づいて前記デフォールトサブフレーム構成又は前記好ましいサブフレーム構成のいずれかに従って動作するように通信装置を構成するように；コンピュータを動作させるプログラムコードを備えたコンピュータ読取可能記録媒体。
【発明の詳細な説明】
【技術分野】
【０００１】
本発明は、時分割デュープレックス（ＴＤＤ）モード送信のためのサブフレーム構成に関する情報を通信することに関する。
【背景技術】
【０００２】
通信装置とは、他の当事者との通信に使用できるようにする適当な通信及びコントロール能力が設けられた装置として理解することができる。通信は、例えば、音声、電子メール（ｅ−メール）、テキストメッセージ、データ、マルチデータ、等の通信を含む。通信装置は、典型的に、装置のユーザが通信システムを経て通信信号を受信及び送信できるようにし、従って、種々のサービスアプリケーションにアクセスするのに使用することができる。
【０００３】
通信システムとは、通信装置、ネットワークエンティティ及び他のノードのような２つ以上のエンティティ間の通信を促進するファシリティである。通信システムは、１つ以上の相互接続ネットワークにより形成される。システムの種々のネットワークを相互接続するために１つ以上のゲートウェイノードが設けられる。例えば、典型的に、アクセスネットワークと、他の通信ネットワーク、例えば、コアネットワーク及び／又はデータネットワークとの間にゲートウェイノードが設けられる。
【０００４】
適切なアクセスシステムは、通信装置がより広い通信システムにアクセスできるようにする。より広い通信システムへのアクセスは、固定線又はワイヤレス通信インターフェイス或いはそれらの組み合わせにより行われる。ワイヤレスアクセスを与える通信システムは、典型的に、そのユーザに対して少なくともある程度の移動を可能にする。それらの例は、セルラーアクセスネットワークの配列によってアクセスが与えられるワイヤレス通信システムを含む。ワイヤレスアクセス技術の他の例は、異なるワイヤレスローカルエリアネットワーク（ＷＬＡＮ）及び衛星ベースの通信システムを含む。
【０００５】
ワイヤレスアクセスシステムは、典型的に、システムの種々の要素が何を行うことが許され及びどのようにそれを行うべきか規定したワイヤレス規格及び／又は１組の仕様書に基づいて動作する。例えば、規格又は仕様書は、ユーザ、又はより詳細にはユーザ装置に回路交換ベアラが設けられるか又はパケット交換ベアラが設けられるか或いはその両方が設けられるか定義する。典型的に、接続に使用すべき通信プロトコル及び／又はパラメータも定義される。例えば、典型的に、ユーザ装置とネットワークの要素との間で通信をどのように具現化すべきか、並びにそれらの機能及び責任が、所定の通信プロトコルにより定義される。そのようなプロトコル及び／又はパラメータは、更に、通信システムの部分により使用される周波数スペクトル、使用される送信電力、等も定義する。
【０００６】
セルラーシステムでは、ベースステーションの形態のネットワークエンティティは、１つ以上のセル又はセクタにおいて移動装置と通信するためのノードを与える。あるシステムでは、ベースステーションが“ＮｏｄｅＢ（ＮＢ）”又は“ｅＮｏｄｅＢ（ｅＮＢ）”と称されることに注意されたい。典型的に、ベースステーション装置、及び通信に必要なアクセスシステムの他の装置の動作は、集中型コントロールエンティティ（この集中型コントロールエンティティは、典型的に、特定の通信ネットワークの他の集中型コントロールエンティティと相互接続される）によりコントロールされるか、或いは各ベースステーション（例えば、ｅＮｏｄｅＢ）がそれ自身のローカルコントロールエンティティを備えている。セルラーアクセスシステムの例は、進化順に、ＧＳＭ（登録商標）（移動用のグローバルシステム）、ＥＤＧＥ（ＧＳＭ（登録商標）進化のためのエンハンストデータ）無線アクセスネットワーク（ＧＥＲＡＮ）、ユニバーサル地上無線アクセスネットワーク（ＵＴＲＡＮ）及び進化型ＵＴＲＡＮ（Ｅ−ＵＴＲＡＮ）を含む。
【０００７】
図８を参照すれば、Ｅ−ＵＴＲＡＮのための長期進化（ＬＴＥ）により、ダウンリンク及びアップリンク送信は、特定時間巾の無線フレームへと編成され、各フレームは、連続するサブフレームより成り、又、各サブフレームは、多数の連続する直交周波数分割多重（ＯＦＤＭ）記号より成る。
【０００８】
ＴＤＤモードでは、アップリンク送信とダウンリンク送信との間に単一の帯域巾が共有され、そして異なるタイムリソースがアップリンク及びダウンリンクに割り当てられる。
【０００９】
フレーム内のサブフレームをアップリンク送信とダウンリンク送信との間で共有する多数の異なる方法があるが、それらは、各々、サブフレーム即ちＧＰの中央に未使用記号の一部分により分離されたダウンリンクの部分即ちＤｗＰＴＳとアップリンク送信即ちＵｐＰＴＳとの両方を含む少なくとも１つの特殊なサブフレーム（ＳＳＦ）を使用することにより特徴付けられる。１つの提案によれば、アップリンク及びダウンリンク部分の長さ（ＯＦＤＭ記号に関する）は、限定された数の組み合わせの１つをとり、そしてセルのネットワーク側で選択される特定の組み合わせは、ＴＤＤ−Ｃｏｎｆｉｇ情報エレメントにおいてそのセルによりサービスされる通信装置へ通信される。
【発明の概要】
【発明が解決しようとする課題】
【００１０】
送信容量を高める目的で比較的進歩した通信装置に対して考えられる特別サブフレーム構成の数を増加することが提案されており、そして異なる容量の通信装置を伴うそのような開発されたシステムにおいて特別サブフレーム構成情報を通信するという課題が示されている。
【００１１】
本発明の目的は、上述した課題を満足させることである。
【課題を解決するための手段】
【００１２】
本発明の第１実施形態によれば、ダウンリンク送信部分及びアップリンク送信部分を有するサブフレームのためのデフォールト構成の指示を送信し、前記サブフレームのための好ましい構成の指示を送信し、そして前記好ましいサブフレーム構成に基づき通信装置への及び／又は通信装置からの送信をスケジューリングすることを含む方法が提供される。
【００１３】
好ましくは、前記方法は、好ましい構成に関連して少なくとも１つの所定の条件を満足する構成をデフォールト構成に対して選択することを更に含む。
【００１４】
好ましくは、前記所定の条件は、好ましいサブフレーム構成に基づくサブフレームのアップリンク及びダウンリンク両送信部分が、各々、少なくとも、デフォールトサブフレーム構成に基づくサブフレームのアップリンク及びダウンリンク送信部分に割り当てられたタイムリソースを含むことである。
【００１５】
好ましくは、前記方法は、好ましいサブフレーム構成に基づいて動作できる通信装置に対してのみ検出できるフォーマットで好ましい構成の指示を放送することを更に含む。
【００１６】
好ましくは、前記方法は、好ましいサブフレーム構成の指示を、特定の通信装置にアドレスされるメッセージの一部分として送信することを更に含む。
【００１７】
好ましくは、サブフレームは、前記ダウンリンク送信部分とアップリンク送信部分との間の未使用部分を含む。
【００１８】
好ましくは、前記方法は、好ましいサブフレーム構成の指示を、デフォールトサブフレーム構成の指示を含まないメッセージ又は情報ブロックの一部分として送信することを更に含む。
【００１９】
好ましくは、前記方法は、好ましいサブフレーム構成の指示をメッセージの一部分として送信し、そしてメッセージに対する応答を受信することを更に含む。
【００２０】
好ましくは、好ましいサブフレーム構成に基づくサブフレームのダウンリンク送信部分は、付加的なタイムリソースを含む。
【００２１】
本発明の第２実施形態によれば、ダウンリンク送信部分及びアップリンク送信部分を有するサブフレームのためのデフォールト構成の指示を検出し、前記サブフレームのための好ましい構成の指示を検出し、そして好ましいサブフレーム構成に基づいて動作するように通信装置を構成することを含む方法が提供される。
【００２２】
好ましくは、デフォールト構成は、好ましい構成に関して少なくとも１つの所定の条件を満足する構成である。
【００２３】
好ましくは、所定の条件は、好ましいサブフレーム構成に基づくサブフレームのアップリンク及びダウンリンク両送信部分が、各々、少なくとも、前記デフォールトサブフレーム構成に基づく前記サブフレームのアップリンク及びダウンリンク送信部分に割り当てられたタイムリソースを含むことである。
【００２４】
好ましくは、前記方法は、好ましいサブフレーム構成の指示を放送チャンネルから検出することを更に含む。
【００２５】
好ましくは、前記方法は、好ましいサブフレーム構成の指示を、通信装置にアドレスされたメッセージから検出し、そしてそのメッセージに応答することを更に含む。
【００２６】
好ましくは、サブフレームは、ダウンリンク送信部分とアップリンク送信部分の間の未使用部分を含む。
【００２７】
好ましくは、好ましいサブフレーム構成に基づくサブフレームのダウンリンク送信部分は、付加的なタイムリソースを含み、前記方法は、更に、デフォールトサブフレーム構成に基づいて動作するように通信装置を構成した後に、付加的なタイムリソースにおいてダウンリンクデータ記号に対して１つ以上の測定を実行することを含む。
【００２８】
本発明の第３実施形態によれば、プロセッサと、コンピュータプログラムコードを含むメモリとを備えた装置において、そのメモリ及びコンピュータプログラムコードは、プロセッサとで、その装置が、ダウンリンク送信部分及びアップリンク送信部分を有するサブフレームのためのデフォールト構成の指示を送信し；サブフレームのための好ましい構成の指示を送信し；そして好ましいサブフレーム構成に基づき通信装置への及び／又は通信装置からの送信をスケジューリングする；ようにさせるよう構成された装置が提供される。
【００２９】
好ましくは、メモリ及びコンピュータプログラムコードは、プロセッサとで、前記装置が、好ましい構成に関連して少なくとも１つの所定の条件を満足する構成をデフォールト構成に対して選択する、ようにさせるよう構成される。
【００３０】
好ましくは、所定の条件は、好ましいサブフレーム構成に基づくサブフレームのアップリンク及びダウンリンク両送信部分が、各々、少なくとも、デフォールトサブフレーム構成に基づくサブフレームのアップリンク及びダウンリンク送信部分に割り当てられたタイムリソースを含むことである。
【００３１】
好ましくは、メモリ及びコンピュータプログラムコードは、プロセッサとで、前記装置が、好ましいサブフレーム構成に基づいて動作できる通信装置に対してのみ検出できるフォーマットで好ましい構成の指示を放送する、ようにさせるよう構成される。
【００３２】
好ましくは、メモリ及びコンピュータプログラムコードは、プロセッサとで、前記装置が、好ましいサブフレーム構成の指示を、特定の通信装置にアドレスされるメッセージの一部分として送信する、ようにさせるよう構成される。
【００３３】
好ましくは、サブフレームは、ダウンリンク送信部分とアップリンク送信部分の間の未使用部分を含む。
【００３４】
好ましくは、メモリ及びコンピュータプログラムコードは、プロセッサとで、前記装置が、好ましいサブフレーム構成の指示を、デフォールトサブフレーム構成の指示を含まないメッセージ又は情報ブロックの一部分として送信する、ようにさせるよう構成される。
【００３５】
好ましくは、メモリ及びコンピュータプログラムコードは、プロセッサとで、前記装置が、好ましいサブフレーム構成の指示をメッセージの一部分として送信し、そしてそのメッセージに対する応答を受信する、ようにさせるよう構成される。
【００３６】
好ましくは、好ましいサブフレーム構成に基づくサブフレームのダウンリンク送信部分は、付加的なタイムリソースを含む。
【００３７】
本発明の第４の実施形態によれば、プロセッサと、コンピュータプログラムコードを含むメモリとを備えた装置において、それらメモリ及びコンピュータプログラムコードは、プロセッサとで、その装置が、ダウンリンク送信部分及びアップリンク送信部分を有するサブフレームのためのデフォールトサブフレーム構成の指示を受信し；サブフレームのための好ましいサブフレーム構成の指示の検出をチェックし；そしてそのチェックの結果に基づきデフォールトサブフレーム構成又は好ましいサブフレーム構成のいずれかに従って動作するように通信装置を構成する；ようにさせるよう構成された装置が提供される。
【００３８】
好ましくは、デフォールト構成は、好ましい構成に関して少なくとも１つの所定の条件を満足する構成である。
【００３９】
好ましくは、所定の条件は、好ましいサブフレーム構成に基づくサブフレームのアップリンク及びダウンリンク両送信部分が、各々、少なくとも、デフォールトサブフレーム構成に基づくサブフレームのアップリンク及びダウンリンク送信部分に割り当てられたタイムリソースを含むことである。
【００４０】
好ましくは、メモリ及びコンピュータプログラムコードは、プロセッサとで、前記装置が、好ましいサブフレーム構成の指示を放送チャンネルから検出する、ようにさせるよう構成される。
【００４１】
好ましくは、メモリ及びコンピュータプログラムコードは、プロセッサとで、前記装置が、好ましいサブフレーム構成の指示を、通信装置にアドレスされたメッセージから検出し、そしてそのメッセージに応答する、ようにさせるよう構成される。
【００４２】
好ましくは、サブフレームは、ダウンリンク送信部分とアップリンク送信部分との間の未使用部分を含む。
【００４３】
好ましくは、好ましいサブフレーム構成に基づくサブフレームのダウンリンク送信部分は、付加的なタイムリソースを含み、そしてメモリ及びコンピュータプログラムコードは、プロセッサとで、前記装置が、デフォールトサブフレーム構成に基づいて動作するように通信装置を構成した後に、付加的なタイムリソースにおいてダウンリンクデータ記号に対して１つ以上の測定を実行する、ようにさせるよう構成される。
【００４４】
更に、本発明によれば、前記第１の実施形態の方法を実行するように構成された装置が提供される。
【００４５】
更に、本発明によれば、前記第２の実施形態の方法を実行するように構成された装置が提供される。
【００４６】
更に、本発明によれば、前記第３の実施形態の装置を備えたベースステーション又はｅＮｏｄｅＢが提供される。
【００４７】
更に、本発明によれば、前記第４の実施形態の装置を備えたユーザ装置又はリレーノードが提供される。
【００４８】
本発明の第５の実施形態によれば、コンピュータにロードされたときに、ダウンリンク送信部分及びアップリンク送信部分を有するサブフレームのためのデフォールト構成の指示を送信し；そのサブフレームのための好ましい構成の指示を送信し；そしてその好ましいサブフレーム構成に基づいて通信装置への及び／又は通信装置からの送信をスケジューリングするように；コンピュータをコントロールするプログラムコード手段を備えたコンピュータプログラム製品が提供される。
【００４９】
本発明の第６の実施形態によれば、コンピュータにロードされたときに、ダウンリンク送信部分及びアップリンク送信部分を有するサブフレームのためのデフォールトサブフレーム構成の指示を受信し；そのサブフレームのための好ましいサブフレーム構成の指示の検出をチェックし；そしてそのチェックの結果に基づいてデフォールトサブフレーム構成又は好ましいサブフレーム構成のいずれかに従って動作するように通信装置を構成するように；コンピュータをコントロールするプログラムコード手段を備えたコンピュータプログラム製品が提供される。
【００５０】
以下、添付図面を参照して、フィードバック情報のエンコーディング及びデコーディングに関連した技術を一例として詳細に説明する。
【図面の簡単な説明】
【００５１】
【図１】無線アクセスネットワークを含む通信システムの一例を示す。
【図２】図１に示すユーザ装置の一例における幾つかのコンポーネントを示す。
【図３】図１に示すアクセスノードに適した装置の一例における幾つかのコンポーネントを示す。
【図４】図１のアクセスノードにおいて実行される動作の一例を示す。
【図５】図１のユーザ装置において実行される動作の一例を示す。
【図６】図１のアクセスノードにおいて実行される動作の別の例を示す。
【図７】図１のユーザ装置において実行される動作の別の例を示す。
【図８】図１のアクセスノードへの又はそこからの送信をフレーム及びサブフレームへと編成する一例を示す。
【図９】ＬＴＥ  ＴＤＤに対する無線フレームのアップリンク−ダウンリンク構成の例を示す。
【図１０】“ＴＤＤ−Ｃｏｎｆｉｇ”情報エレメントにおいて各構成を識別するために使用される特別サブフレーム（ＳＳＦ）構成（ＳＳＣ）及びＳＳＦパラメータ値の１つのセットを示す。
【図１１】付加的なサブフレーム構成（ＳＳＣ）の幾つかの例を示す。
【図１２】ＴＤＤ−Ｃｏｎｆｉｇ情報エレメントの一例を示す。
【図１３】ＴＤＤ−Ｃｏｎｆｉｇエレメントを含むシステム情報ブロックタイプ１メッセージの一例を示す。
【図１４】好ましいＳＳＦ構成の指示を含むＲＲＣ接続再構成メッセージのための物理的Ｃｏｎｆｉｇ専用情報エレメントの一例を示す。
【図１５】好ましいＳＳＦ構成の指示を含むシステム情報ブロックタイプ２の一例を示す。
【発明を実施するための形態】
【００５２】
以下の説明は、長期進化（ＬＴＥ）リリース１０／１１以降に従って動作するよう設計された無線アクセスネットワークを含む通信システムの一例に関するものである。
【００５３】
図１は、ベースステーション２、４、６（ｅＮＢ）のネットワークを含むセルラーＥ−ＵＴＲＡＮの一例を示す。
【００５４】
簡単化のために、図１には３つのセルしか示されていないが、大きなセルラー無線アクセスネットワークは、数万のセルを含むことができる。
【００５５】
図２は、図１に示すユーザ装置の一例における幾つかのコンポーネントを示す。ユーザ装置８は、電話コールの発信及び受信、データネットワークからのデータの受信及びデータネットワークへのデータの送信、並びに例えば、マルチメディア又は他のコンテンツの経験のような種々のタスクに使用される。
【００５６】
ＵＥ８は、少なくとも無線信号を送信又は受信することのできる装置である。非限定例として、移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、リレーノード、又はそれらの組み合わせ、等が含まれる。ＵＥ８は、ＵＥ８の適当な無線インターフェイス装置を経て通信する。そのインターフェイス装置は、例えば、無線部及びその関連アンテナ装置により設けられる。アンテナ装置は、ＵＥ８の内部に配置されてもよいし、外部に配置されてもよい。
【００５７】
ＵＥ８には、それが遂行するよう設計されたタスクに使用するために少なくとも１つのデータ処理エンティティ３及び少なくとも１つのメモリ又はデータ記憶エンティティ７が設けられる。データプロセッサ３及びメモリ７は、適当な回路板９上及び／又はチップセット内に設けられる。
【００５８】
ユーザは、キーパッド１、ボイスコマンド、タッチ感知スクリーン又はパッド、その組み合わせ、等の適当なユーザインターフェイスにより、ＵＥ８の動作をコントロールする。ディスプレイ５、スピーカ及びマイクロホンも設けられる。
【００５９】
更に、ＵＥ８は、他の装置への、及び／又は例えばハンズフリー装置のような外部アクセサリをそこに接続するための、適当なコネクタ（ワイヤード又はワイヤレス）も備えている。
【００６０】
図３は、図１に示すアクセスノード２、４、６に適した装置の一例における幾つかのコンポーネントを示す。装置２は、高周波信号を受信及び送信するように構成された高周波アンテナ３０１と、このアンテナ３０１により受信及び送信される高周波信号をインターフェイスするように構成された高周波インターフェイス回路３０３とを備えている。この高周波インターフェイス回路は、トランシーバとしても知られている。又、装置２は、高周波インターフェイス回路３０３からの信号を処理し、高周波インターフェイス回路３０３をコントロールして適当なＲＦ信号を発生するように構成されたデータプロセッサ３０６も備えている。アクセスノードは、更に、データプロセッサ３０６により使用するためのデータ、パラメータ及びインストラクションを記憶するメモリ３０７も備えている。
【００６１】
図２及び３に各々示して上述したＵＥ８及びアクセスノードは、両方とも、以下に述べる実施形態に直接含まれない更に別の要素も含むことが理解されよう。
【００６２】
図４及び５は、図１の通信システムにおけるネットワーク側及びユーザ装置側の動作の一例を示す。
【００６３】
図８及び９を参照すれば、無線フレームを構成するサブフレームのセットが、図９に示す７つの構成の１つに基づきダウンリンク及びアップリンク送信に割り当てられ、そして各々のアップリンク−ダウンリンク構成は、上述した種類の少なくとも１つの特別なサブフレームを含むことが明らかである。サブフレームが分割されたスロット（通常の周期的プレフィックス（ＣＰ）ケースでは１４スロット又は拡張周期的プレフィックス（ＣＰ）ケースでは１２スロット）は、全て、ＯＦＤＭ記号の送信に使用することができる。
【００６４】
特別なサブフレーム（ＳＳＦ）の１４スロット（又は拡張ＣＰを使用するケースの１２スロット）は、サブフレームの開始における１つ以上のダウンリンク送信スロット（全体的にダウンリンクパイロットタイムスロット（ＤｗＰＴＳ）と称される）と、サブフレームの中間における１つ以上の未使用スロット（全体的にガード周期（ＧＰ）と称される）と、サブフレームの終了における１つ以上のアップリンク送信スロット（全体的にアップリンクパイロットタイムスロット（ＵｐＰＴＳ）と称される）と、を含む。
【００６５】
ＤｗＰＴＳ、ＧＰ及びＵｐＰＴＳの９つの異なる組み合わせが図１０に示されており、ここで、ＤｗＰＴＳ及びＵｐＰＴＳの長さは、ＯＦＤＭ記号の数で表される。特殊なサブフレームに対するＤｗＰＴＳ、ＧＰ及びＵｐＰＴＳの組み合わせの更に別の例が図１１に示されている。
【００６６】
アクセスネットワークは、図１０に示したＳＳＦ構成のセットに含まれないＳＳＦ構成を、ｅＮＢ２に関連したセルに対する好ましいＳＳＦ構成として採用するよう決断する。例えば、アクセスネットワークは、図１１の上部に示した（６、６、２）ＳＳＦ構成を、ｅＮＢ２に関連したセルに対する好ましいＳＳＦ構成として採用するよう決断する。（６、６、２）は、各々、ＤｗＰＴＳ、ＧＰ及びＵｐＰＴＳの長さを、ＯＦＤＭ記号の数に関して指す。
【００６７】
アクセスネットワークは、図１０に示す限定数の特別なサブフレーム構成から、好ましいＳＳＦ構成とペアリングすべきデフォールトＳＳＦ構成を選択する。図１０に示す１つ以上のＳＳＦ構成は、図１１に示す種類の１つ以上の付加的なＳＳＦ構成とペアリングされてもよい。換言すれば、図１１に示す種類の付加的なＳＳＦ構成は、同じデフォールトＳＳＦ構成とペアリングされる２つ以上を含む。
【００６８】
この実施形態では、アクセスネットワークは、図１０に示す限定数の特別なサブフレーム構成から、好ましい構成（６、６、２）のＤｗＰＴＳ及びＵｐＰＴＳより各々長くないＤｗＰＴＳ及びＵｐＰＴＳをもつＳＳＦ構成を選択する。例えば、アクセスネットワークは、特別なサブフレームパラメータ（ＳＳＰ）値５により識別された（３、９、２）構成を選択する。
【００６９】
アクセスネットワークは、図１２に示す種類の“ＴＤＤ−Ｃｏｎｆｉｇ”情報エレメントを公式化し、そしてＳＳＰ値、或いはネットワーク又はベースステーションが好ましいＳＳＦ構成とペアリングしたデフォールトＳＳＦ構成を識別する他のＳＳＰ値に対して、値“５”を指定する。又、ＴＤＤ−Ｃｏｎｆｉｇ情報エレメントは、図９に示す７つのサブフレーム指定（ｓａ）値の１つにより、図９に示すアップリンク−ダウンリンク構成の１つを指定する。ｅＮＢ２は、ＴＤＤ−Ｃｏｎｆｉｇ情報エレメントを、図１３に示した種類のシステム情報ブロック１（ＳＩＢ１）メッセージの一部分として物理的ダウンリンク共有チャンネル（ＰＤＳＣＨ）に放送し、これに関連して、ＰＤＳＣＨ送信に対するリソース割り当てを指示するダウンリンクコントロール情報（ＤＣＩ）メッセージが物理的ダウンリンクコントロールチャンネル（ＰＤＣＣＨ）に送信される（ステップ４０２）。このＤＣＩメッセージは、システム情報に対する無線ネットワーク一時的識別し（ＲＮＴＩ）、即ちＳＩ−ＲＮＴＩでスクランブルされる。このＴＤＤ−Ｃｏｎｆｉｇ情報エレメントは、全てのＵＥ８によって検出可能である（ステップ５０２）。ＵＥ８は、その全てが、ＰＤＣＣＨの盲サーチの結果としてＳＩ−ＲＮＴＩでＤＣＩメッセージを見出し、そしてその全てが、ＳＩＢ１を搬送する対応するＰＤＳＣＨの構成をＤＣＩメッセージから得る。
【００７０】
以下のテーブル１は、図１３に示すシステム情報ブロック１（ＳＩＢ１）メッセージに使用されるフィールドの説明を与える。
【表１】
0005846562.tif 000002
【００７１】
ｅＮＢ２は、ＵＥ８が好ましい構成に基づいて動作できるものであるかどうか決定する（ステップ４０４）。この決定の結果が肯定である場合には、アクセスネットワークは、そのＵＥ８にアドレスされる「ＲＲＣ接続再構成」メッセージを公式化し、図１４に示した種類の“PhysicalConfigDedicated”情報エレメントを含ませ、そしてメッセージが向けられるＵＥ８に対して確認可能な所定の新たなＳＳＦパターンパラメータ値（例えば、（６、６、２）構成ではｓｓｐ＃９のような）により、好ましいサブフレーム構成、例えば、（６、６、２）を指定する。
【００７２】
以下のテーブル２は、図１４に示すPhysicalConfigDedicated情報エレメントのフィールドの説明を与える。
【表２】
0005846562.tif 000003
【００７３】
ｅＮＢは、物理的なダウンリンク共有チャンネル（ＰＤＳＣＨ）を経てＵＥ８へＲＲＣ接続再構成メッセージを送信し、これに関連して、ＤＣＩメッセージがＰＤＣＣＨを経て送信されて、セルにおけるその時間中にＵＥ８に指定されたＲＮＴＩ（即ち、Ｃ−ＲＮＴＩ）でスクランブルされる（ステップ４０８）。ＵＥ８は、ＰＤＣＣＨの盲サーチの結果としてＣ−ＲＮＴＩでこのＤＣＩメッセージを見出し、そしてＲＲＣ接続再構成メッセージを搬送する対応ＰＤＳＣＨの構成をＤＣＩメッセージから得る。
【００７４】
このように、ｅＮＢ２は、好ましいＳＳＦ構成に基づいて動作する能力を有するＵＥ８に好ましいＳＳＦ構成の指示を送信するだけである。前記決定の結果が任意のＵＥについて否定的である場合には、ｅＮＢ２は、デフォールトＳＳＦ構成に基づきそのようなＵＥ８への及び／又はＵＥ８からの送信をスケジューリングする（ステップ４０６）。
【００７５】
ｅＮＢ２から好ましいＳＳＦ構成の指示が送られて来ないＵＥ８は、ＰＤＳＣＨにおいて検出されるＳＩＢ１メッセージのＴＤＤ−Ｃｏｎｆｉｇ情報エレメントで指定された構成に基づいて動作するようにそれ自身を構成する（ステップ５０６）。
【００７６】
好ましいＳＳＦ構成の指示を含むＲＲＣ接続再構成メッセージを受信するＵＥ８は、少なくともＲＲＣ接続再構成完了メッセージをｅＮＢ２へ送信した後まで、好ましいＳＳＦ構成に基づいて動作するようそれ自身を構成することを控える（ステップ５０８）。ｅＮＢ２がＵＥ８からＲＲＣ再構成完了メッセージを受信するまで、ｅＮＢ２は、デフォールトＳＳＦ構成に基づきＵＥ８への送信をスケジューリングし続ける（ステップ４１４）。ＵＥ８からＲＲＣ接続再構成完了メッセージを受信した後に、ｅＮＢ２は、好ましいＳＳＦ構成に基づきそのＵＥ８への送信のスケジューリングを開始する（ステップ４１２）。
【００７７】
ＵＥ８がＲＲＣ接続再構成完了メッセージを送出するときと、ｅＮＢがそのメッセージを受信するときとの間の不確実な期間中に、ＵＥ８は、ＴＤＤ−Ｃｏｎｆｉｇ情報エレメントで指定されたデフォールトＳＳＦ構成に基づき動作し続けることができると同時に、好ましいＳＳＦ構成（６、６、２）の一部分としてダウンリンク送信に割り当てられた付加的なリソースにおいてＯＦＤＭ記号の検出をチェックすることができる。
【００７８】
図６及び７は、１つの別の技術に基づくネットワーク側及びユーザ装置側の動作の別の例を示す。上述した技術と同様に、ｅＮＢ２は、デフォールトＳＳＦ構成の指示をＰＤＳＣＨにＳＩＢ１の一部分として放送し（ステップ６０２）、これは、全てのＵＥ８により検出される（ステップ７０２）。又、ｅＮＢ２は、好ましい（６、６、２）ＳＳＦ構成の指示を、放送チャンネルＰＤＳＣＨ上の第２のシステム情報ブロックメッセージの一部分としても含み、これに関連して、ＰＤＳＣＨ送信のリソース割り当てを指示するＤＣＩメッセージがＰＤＣＣＨを経て送信される。ＤＣＩメッセージは、前記ＳＩ−ＲＮＴＩでスクランブルされる（ステップ６０４）。そのようなメッセージの１つの例は、図１５に示す種類のシステム情報ブロックタイプ２（ＳＩＢ２）メッセージである。好ましい構成の指示は、ＰＤＳＣＨで放送されて、それらＵＥ８にとって好ましいＳＳＦ構成に基づいて動作できないことを認識できないようにし、そのようなＵＥ８は、ＴＤＤ−Ｃｏｎｆｉｇ情報エレメントで指定されたデフォールトＳＳＦ構成に従って動作するようにそれ自身を構成し続ける（ステップ７０６）。
【００７９】
以下のテーブル３は、図１５に示すシステム情報ブロックタイプ２メッセージのフィールドの説明を与える。
【表３】
0005846562.tif 000004
【００８０】
ＰＤＳＣＨ  ＳＩＢ２において好ましいＳＳＦ構成の指示を検出でき且つ好ましい（６、６、２）構成に基づいて動作できるＵＥ８は、直ちにそれ自身を適宜再構成することができ（ステップ７０８）、そしてｅＮＢ２も、好ましい（６、６、２）ＳＳＦ構成に基づいてそのようなＵＥへの送信のスケジューリングを直ちに開始する（ステップ６１０）。上述したように、ｅＮＢ２は、好ましいＳＳＦ構成に基づいて動作できるＵＥ８と、そのように動作できないＵＥ８との間を区別することができ、そして好ましいＳＳＦ構成に基づいて動作する能力をもたないＵＥについては、ｅＮＢ２は、ＰＤＳＣＨ  ＳＩＢ１に放送されるデフォールトＳＳＦ構成に基づいてそのようなＵＥ８への送信及び／又はＵＥ８からの送信をスケジューリングする。
【００８１】
隣接セル（即ち、潜在的なターゲットセル）に関連したｅＮＢにおいて測定を行う目的で、ＵＥ８は、デフォールトＳＳＦ構成（例えば、上述した例では（３、９、２）に基づいてそのような測定を行い、即ちデフォールトＳＳＦ構成に基づいてＤｗＰＴＳに割り当てられたスロットにおいて測定を行うだけである。現在セルに関連したｅＮＢ２において測定を行う目的で、好ましいＳＳＦ構成（例えば、前記例の（６、６、２））に基づいて動作できるＵＥ８は、デフォールトＳＳＦ構成においてＤｗＰＴＳに割り当てられない付加的なスロットを含めて、好ましいＳＳＦ構成に基づいてＤｗＰＴＳに割り当てられたスロットにおいて測定を行う。
【００８２】
前記説明は、ＤｗＰＴＳに対して増加型タイムリソース及びＵｐＰＴＳに対して同じタイムリソースを有する好ましいＳＳＦ構成の一例を参照するものである。しかしながら、ＤｗＰＴＳ及びＵｐＰＴＳの両方に対して増加型タイムリソースを有する好ましいＳＳＦ構成、並びにＵｐＰＴＳに対して増加型タイムリソース及びＤｗＰＴＳに対して同じタイムリソースを有する好ましいＳＳＦ構成にも同じ種類の技術を適用することができる。上述したように、アクセスネットワークは、図１０に示したＳＳＦ構成のセットから、ＤｗＰＴＳ及びＵｐＰＴＳに対するタイムリソースが好ましいＳＳＦ構成の各タイムリソースより長くないデフォールトＳＳＦ構成を選択する。
【００８３】
上述した動作は、種々のエンティティにおいてデータ処理を必要とする。そのデータ処理は、１つ以上のデータプロセッサにより行われる。
【００８４】
同様に、前記実施形態で述べた種々のエンティティは、単一又は複数のデータ処理エンティティ及び／又はデータプロセッサ内で具現化される。適切に適応されたコンピュータプログラムコード製品は、コンピュータにロードされたときに、前記実施形態を具現化するのに使用される。動作を行うプログラムコード製品は、キャリアディスク、カード又はテープのようなキャリア媒体に記憶されそしてそれにより提供される。データネットワークを経てプログラムコード製品をダウンロードすることもできる。サーバー内の適当なソフトウェアで具現化することもできる。
【００８５】
例えば、前記実施形態は、チップセットとして具現化され、換言すれば、互いに通信する一連の集積回路として具現化される。チップセットは、コードを実行するように構成されたマイクロプロセッサ、特定用途向け集積回路（ＡＳＩＣ）、又は前記動作を遂行するためのプログラム可能なデジタル信号プロセッサを含む。
【００８６】
前記実施形態は、集積回路モジュールのような種々のコンポーネントで具現化される。集積回路の設計は、一般的に、高度に自動化されたプロセスである。論理レベル設計を、半導体基板上にエッチングされ形成される準備のできた半導体回路設計へと変換するために、複雑で且つパワフルなソフトウェアツールを入手することができる。
【００８７】
カリフォルニア州マウンティンビューのシノプシス・インク及びカリフォルニア州サンノセのカデンスデザインにより提供されるもののようなプログラムは、充分に確立された設計ルール及び事前に記憶された設計モジュールのライブラリを使用して半導体チップ上で導体を自動的に引き回し且つコンポーネントを配置する。半導体回路の設計が完了すると、それにより得られた設計が標準電子フォーマット（例えば、Ｏｐｕｓ、ＧＤＳＩＩ、等）で半導体製造工場又は“ｆａｂ”へ製造のために送信される。
【００８８】
前記で明確に述べた変更に加えて、当業者であれば、ここに述べる技術の種々の他の変更がなされること、及びここに述べる技術が他の通信システムに適用されることが明らかであろう。
【符号の説明】
【００８９】
２、４、６：ベースステーション（ｅＮＢ）
３：データプロセッサ
５：ディスプレイ
７：メモリ
８：ユーザ装置（ＵＥ）
９：回路板
３０１：高周波アンテナ
３０３：高周波インターフェイス回路
３０６：データプロセッサ
３０７：メモリ
【図１】
0005846562.tif 000005
【図２】
0005846562.tif 000006
【図３】
0005846562.tif 000007
【図４】
0005846562.tif 000008
【図５】
0005846562.tif 000009
【図６】
0005846562.tif 000010
【図７】
0005846562.tif 000011
【図８】
0005846562.tif 000012
【図９】
0005846562.tif 000013
【図１０】
0005846562.tif 000014
【図１１】
0005846562.tif 000015
【図１２】
0005846562.tif 000016
【図１３】
0005846562.tif 000017
【図１４】
0005846562.tif 000018
【図１５】
0005846562.tif 000019